(57)【要約】【課題】パーツ数を減らすとともに構造をより簡単にした、安価な泡噴出容器を提案する。【解決手段】本発明は、容器本体１０を圧搾して充填空間Ｍ内の内容物及び空気をシリンダー２０内に導入し、発泡部材４０を通して内容物を泡状にして噴出させる一方、容器本体１０の復元にてノズル３５内の残留内容物を充填空間Ｍに引き戻す泡噴出容器であって、シリンダー２０は、内容物の吸引管ｐを保持する底部２１の縁部から立ち上がる筒状部２２に、内容物を充填空間Ｍ内に流入させる内容物帰還口２５を有するフランジ部２３を備え、筒状部２２の外側に、容器本体１０の圧搾時には内容物帰還口２５を閉鎖し、容器本体１０の復元時には内容物帰還口２５を開放する逆止弁５０を設け、底部２１及び発泡部材４０の少なくとも一方に、発泡部材４０を下方から支持して隙間Ｓを形成する支持リブ２９を設けるとともに、ノズル３５の後端に押圧壁３７を設けたことを特徴とする。【選択図】図１
2014046971.tif 000002
【特許請求の範囲】
【請求項１】
可撓性を有する容器本体を圧搾して該容器本体の充填空間内の内容物及び空気をシリンダー内に導入し、該シリンダー内に設けた発泡部材を通して内容物を泡状にしてノズルの先端から噴出させる一方、該容器本体の復元にて該ノズル内に残った残留内容物を該ノズルの後端に設けた貫通孔を通して該充填空間に引き戻す泡噴出容器であって、
前記ノズルは、前記シリンダーを前記容器本体の口部に吊り下げ保持して該口部に固定されるベースキャップに一体連結するものであり、
前記シリンダーは、内容物を該シリンダー内に導入する吸引管を保持するとともに空気導入孔を有する底部と、該底部の縁部から立ち上がる筒状部と、該筒状部から外側に向けて延在するとともに前記貫通孔を通り抜けた残留内容物を前記充填空間内に流入させる内容物帰還口を有するフランジ部とを備え、
前記筒状部の外側に、該容器本体の圧搾時には該内容物帰還口を閉鎖して該シリンダー内に内容物と空気とを送り込む一方、該容器本体の復元時には該内容物帰還口を開放して残留内容物を該内容物帰還口から該充填空間内へ引き戻す環状の逆止弁を設け、
前記シリンダーの底部及び前記発泡部材の少なくとも一方に、該発泡部材を下方から支持して該底部と該発泡部材との間に隙間を形成する支持リブを設けるとともに、該ノズルの後端に、該発泡部材の抜け出しを阻止する押圧壁を設けたことを特徴とする泡噴出容器。
【請求項２】
前記発泡部材は、前記シリンダー内に直列状に２個配置されたものである請求項１に記載の泡噴出容器。
【発明の詳細な説明】
【技術分野】
【０００１】
本発明は、可撓性の胴部を圧搾することにより、流動性を有する内容物（液状、ゲル状等）を発泡させて排出する泡噴出容器に関するものである。
【背景技術】
【０００２】
シャンプー、ボディソープ、ハンドソープ、洗顔料等の各種液体洗浄剤やセットローション等の整髪剤を内容物とする容器としては、泡立て動作を省略して簡便な利用を図る観点から、内容物の流路内に例えばメッシュ等からなる発泡部材を組み入れておき、可撓性を有する胴部を圧搾することで、内容物と空気とを混合させつつこれらを発泡部材に通過させて発泡させ、泡状になった内容物をノズルの噴出口から排出する泡噴出容器が提案されている。
【０００３】
上記のような泡噴出容器において、泡状となった内容物は、噴出口から排出された分の他、一部がノズルの排出経路内に残ったままとなるが、残留した内容物は、時間が経つと泡が消えて元の流動性を有する内容物に戻るため、使用後しばらくすると噴出口から内容物が垂れ落ちる（液だれ）ことがあった。このことは、特にノズルの側面側に噴出口が設けられている横出しタイプの泡噴出容器において顕著であった。
【０００４】
このような液だれを回避するものとしては、圧搾された胴部を復元させる外気導入孔を内容物の排出経路内に設けておき、胴部の復元に伴って容器本体内に取り込まれる外気とともに残留内容物も容器本体内に引き戻すサクションバック機能（サックバック機能、バックサクション機能ともいう）を設けた泡噴出容器が知られている。例えば特許文献１には、容器本体に外キャップ１及び内キャップ２からなるツイストキャップを螺着した泡状液体絞り出し容器が示されている。
【０００５】
上記泡状液体絞り出し容器は、内キャップ２の内側に、第１及び第２チェックバルブ機構を構成するものとしてボール６１をそれぞれ備える管状部材６’、６’’を一体連結部品として設け、この一体連結部品の下方開口面６２に、パイプ３１を保持するパイプジョイント部材３を係合保持させている。さらに、内容物を泡状にするものとして、スクリーン５１を有する管状部材５と、スクリーン１１を有するアダプタ１２とを備えている。
【先行技術文献】
【特許文献】
【０００６】
【特許文献１】実用新案登録第２５３７０８９号
【発明の概要】
【発明が解決しようとする課題】
【０００７】
このように、特許文献１に記載の泡噴出容器は、容器本体を除いて、外キャップ１、内キャップ２、管状部材６’、６’’の一体連結部品、２つのボール６１、パイプジョイント部材３、パイプ３１、管状部材５、アダプタ１２の９部品で構成されている。また、２つのチェックバルブ機構を構成する必要があるため、構造も複雑化している。このため、パーツ数を減らすとともに構成を簡単にした、より安価な泡噴出容器が求められていた。
【０００８】
本発明は、このような問題を解決することを課題とするものであり、その目的は、パーツ数を減らすとともに構造をより簡単にすることで、従来よりも安価となる泡噴出容器を提案するところにある。
【課題を解決するための手段】
【０００９】
本発明は、可撓性を有する容器本体を圧搾して該容器本体の充填空間内の内容物及び空気をシリンダー内に導入し、該シリンダー内に設けた発泡部材を通して内容物を泡状にしてノズルの先端から噴出させる一方、該容器本体の復元にて該ノズル内に残った残留内容物を該ノズルの後端に設けた貫通孔を通して該充填空間に引き戻す泡噴出容器であって、
前記ノズルは、前記シリンダーを前記容器本体の口部に吊り下げ保持して該口部に固定されるベースキャップに一体連結するものであり、
前記シリンダーは、内容物を該シリンダー内に導入する吸引管を保持するとともに空気導入孔を有する底部と、該底部の縁部から立ち上がる筒状部と、該筒状部から外側に向けて延在するとともに前記貫通孔を通り抜けた残留内容物を前記充填空間内に流入させる内容物帰還口を有するフランジ部とを備え、
前記筒状部の外側に、該容器本体の圧搾時には該内容物帰還口を閉鎖して該シリンダー内に内容物と空気とを送り込む一方、該容器本体の復元時には該内容物帰還口を開放して残留内容物を該内容物帰還口から該充填空間内へ引き戻す環状の逆止弁を設け、
前記シリンダーの底部及び前記発泡部材の少なくとも一方に、該発泡部材を下方から支持して該底部と該発泡部材との間に隙間を形成する支持リブを設けるとともに、該ノズルの後端に、該発泡部材の抜け出しを阻止する押圧壁を設けたことを特徴とする泡噴出容器である。
【００１０】
前記発泡部材は、前記シリンダー内に直列状に２個配置されたものであることが好ましい。
【発明の効果】
【００１１】
容器本体を除いて、ノズルと一体連結するベースキャップ、シリンダー、発泡部材、逆止弁、吸引管の５パーツで構成することができ、また、発泡部材を直列状に２個配置する場合も総計６パーツで済むので、従来よりもパーツ数が削減されて部品コストがより安価となる。また、容器本体内の内容物の噴出とノズル内の残留内容物の引き戻しは、１つの逆止弁による内容物帰還口の閉鎖、開放の切り換えにて行うことができるので、構造がより簡単となり、各部品を形成するのに必要な樹脂等の使用量が減ってこの点でもコストの削減に寄与することができる。
【図面の簡単な説明】
【００１２】
【図１】本発明に従う泡噴出容器の実施形態を示す、部分側面断面図である。
【図２】図１に示す泡噴出容器のシリンダーの平面図である。
【図３】図１に示すＡ−Ａに沿う断面図である。
【発明を実施するための形態】
【００１３】
以下、図面を参照して、本発明をより具体的に説明する。
図１は、本発明に従う泡噴出容器の実施形態を示す、部分側面断面図であって、図２は、図１に示す泡噴出容器のシリンダーの平面図であって、図３は、図１に示すＡ−Ａに沿う断面図である。
【００１４】
図１において、符号１０は容器本体である。容器本体１０は、上部を開口させた筒状の口部１１を有し、この口部１１に図示しない胴部及び底部を連結させて、その内側に内容物の充填空間Ｍを形成している。ここで容器本体１０は、例えば合成樹脂等によって形成される可撓性を有するものである。また口部１１の外面には、ねじ部１１ａが形成されている。さらに口部１１の根元には、図３に示すように小突起１１ｂと大突起１１ｃとを周方向に間隔をあけて設けている。
【００１５】
符号２０は、後述するベースキャップにて口部１１に吊り下げ保持されるシリンダーである。シリンダー２０は、円板状となる底部２１の縁部から立ち上がる筒状部２２を有し、筒状部２２の外周面には水平方向に延在するフランジ部２３を備えている。また、フランジ部２３はその縁部から起立する周壁２４を備えている。周壁２４の形状は、周方向に切れ目なくつながる環状であっても、縦方向に延びる切り欠きにて分断された間欠状であってもよい。また、フランジ部２３には、その表裏を貫く孔２５が少なくとも１つ設けられていて（図２に示すように本実施形態では４個）、この孔２５は後述するノズル内の残留内容物を充填空間Ｍに向けて流入させる内容物帰還口として機能する。
【００１６】
また底部２１には、充填空間Ｍ内の内容物をシリンダー２０内に流入させる内容物導入孔２６と、充填空間Ｍ内の空気をシリンダー２０内に流入させる空気導入孔２７が設けられている。図示の例では底部２１の中央に内容物導入孔２６を１個設け、この内容物導入孔２６を取り囲むように９個（図２参照）の空気導入孔２７を設けているが、これらの孔を設ける位置や個数は適宜変更することができる。さらに底部２１の下面には、環状の嵌合壁２８を設けていて、この嵌合壁２８にて、充填空間Ｍ内の内容物を内容物導入孔２６に向けて送り込む吸引管ｐを嵌合、保持している。また、底部２１の上面には、図２に示すように、周方向に間隔をおいて複数個（図示の例では４個）の支持リブ２９が設けられている。さらに本実施形態では、底部２１の下面に空気導入孔２７を取り囲んで垂下される環状の遮蔽壁２１ａを設けている。
【００１７】
符号３０は、容器本体１０の口部１１に装着されるベースキャップである。ベースキャップ３０は、口部１１を取り囲む環状の外壁３１を備えていて、この外壁３１の内周面に形成したねじ部３１ａを口部１１のねじ部１１ａに係合させて着脱自在に固定されている。なお、ねじに代えてアンダーカットで固定保持するようにしてもよい。また外壁３１の下端部には、図３に示すように、回り止めリブ３１ｂが設けられている。これによりベースキャップ３０をねじ込むと、ねじ込み終了直前にて、回り止めリブ３１ｂが、小突起１１ｂを乗り越えて、この小突起１１ｂと大突起１１ｃとの間で回り止め保持される。また外壁３１の上部には、径方向内側に向けて延在する水平壁３２を有し、水平壁３２の下面には、口部１１の内周面に当接して充填空間Ｍ内を封止するシール壁３３が設けられている。そして、水平壁３２の上面には、上部外側壁３４が設けられていて、この上部外側壁３４に、上方に向けて僅かに傾斜するとともにその先端開口３５ａから内容物を噴出させるノズル３５を一体連結している。また、上部外側壁３４の内面には、シリンダー２０のフランジ部２３に係合してシリンダー２０を口部１１に吊り下げ保持する凸部３４ａを設けている。さらにベースキャップ３０は、上部外側壁３４から隙間をあけて径方向内側に設けられる内側壁３６を備えていて、上部外側壁３４と内側壁３６との相互間にシリンダー２０の周壁２４を収めている。また、ノズル３５の後端には、垂直方向に延びてシリンダー２０の筒状部２２の内周面と液密に当接する内側筒状壁３７（後述するように押圧壁ともいう）を一体連結させていて、さらに内側筒状壁３７には少なくとも１つの貫通孔３８が設けられている。図示の例では、内側筒状壁３７の後端側を縦長に切り欠いて貫通孔３８を形成している。
【００１８】
符号４０は、シリンダー２０内に配置される発泡部材である。発泡部材４０は、リング４１の端面に固着されたメッシュ４２からなり、シリンダー２０内に導入された空気及び内容物をこの発泡部材４０に通過させることにより発泡させて、内容物を泡状にすることができる。本実施形態においては発泡部材４０を２個設け、メッシュ４２を下方及び上方へ向けるように背中合わせの姿勢で直列状に配置している。下方側の発泡部材４０は支持リブ２９上に設けられていて、発泡部材４０と底部２１との間には、所要の間隔となる隙間Ｓを設けている。また、ベースキャップ３０の内側筒状壁３７の下端は、上方側の発泡部材４０に当接している。すなわち内側筒状壁３７は、発泡部材４０の抜け出しを阻止する押圧壁として機能する。なお、内容物の種類によっては、発泡部材４０は１個でもよく、またメッシュ４２の目の粗さも泡の大きさに応じて適宜変更される。
【００１９】
符号５０は、逆止弁である。逆止弁５０は、フランジ部２３の下面を弁座とし、通常はこの下面に当接して孔（内容物帰還口）２５を閉鎖する環状の弁体５１と、弁体５１と一体連結するとともにシリンダー２０の筒状部２２に嵌合保持される環状本体部５２とを備えている。
【００２０】
上記のように構成される泡噴出容器は、容器本体１０を圧搾すると、逆止弁５０の作用下で充填空間Ｍが加圧され、内容物は吸引管ｐから内容物導入孔２６を通り抜けて底部２１と発泡部材４０との隙間Ｓに至る。また加圧された充填空間Ｍ内の空気は、遮蔽壁２１ａの内側から空気導入孔２７を通り抜けて隙間Ｓに至る。そして内容物は、空気とともに２つの発泡部材４０を通過して発泡してノズル３５の先端開口３５ａから噴出される。ここで、隙間Ｓの間隔が、発泡部材４０の取り付け時のばらつき等で変わってしまうと泡質が変わってしまうおそれがあるが、本発明では支持リブ２９にて発泡部材４０を下方から支持しているので所期した間隔よりも狭くなることがなく、また、内側筒状壁３７にて発泡部材４０を上方から当て付けているので所期した間隔よりも広くなることがないので所期した通りの泡質で内容物を噴出させることができる。その後、容器本体１０の圧搾を解除すると、可撓性の容器本体１０は元の形状に復元する。これにより充填空間Ｍは負圧となるため、逆止弁５０の弁体５１はフランジ部２３から離隔して内容物帰還口２５が開放し、ノズル３５内に残っていた残留内容物は、外気とともに貫通孔３８及び内容物帰還口２５を通過して充填空間Ｍに引き戻される。
【００２１】
引き戻された残留内容物がシリンダー２０を伝って空気導入孔２７に流れ込むと、シリンダー２０内に取り込まれる空気と内容物との混合比が所期した割合から変わってしまい、内容物の泡質が変化してしまうおそれがあるが、本実施形態では遮蔽壁２１ａにて空気導入孔２７を取り囲んでいるので、このような不具合が有効に防止される。また特に図示のように遮蔽壁２１ａの下端を、ノズル３５の貫通孔３８を設けた側がより下方に位置するように傾斜させて設ける場合は、貫通孔３８に近い側の空気導入孔２７に対しては、より長い遮蔽壁２１ａにて残留内容物を入り込みにくくすることができる一方、貫通孔３８から遠い側の空気導入孔２７に対しては、遮蔽壁２１ａを短くしても残留内容物が入り込むおそれが低く、遮蔽壁２１ａを短くした分これを形成する材料を減らすことができるので、材料コストを削減することができる。
【００２２】
なお、本実施形態においてはシリンダー２０の底部２１に支持リブ２９を設けているが、発泡部材４０に底部２１に当接する支持リブを設けてもよい。なお、発泡部材４０のリング４１とメッシュ４２は、支持リブをシリンダー２０に設ける場合においては、メッシュ４２をインサート成形にてリング４１に固着させることが好ましく、支持リブを発泡部材４０に設ける場合においては、リング４１を成形した後にメッシュ４２をこのリング４１に貼着することが好ましい。
【産業上の利用可能性】
【００２３】
本発明によれば、発泡部材の位置が一意に定まるので内容物の泡質が変わってしまうそそれがなく、またパーツ数を減らすとともに構造をより簡単にすることができるので、従来よりも安価となる泡噴出容器を提供できる。
【符号の説明】
【００２４】
１０  容器本体
１１  口部
２０  シリンダー
２１  底部
２２  筒状部
２３  フランジ部
２５  孔（内容物帰還口）
２６  内容物導入孔
２７  空気導入孔
２９  支持リブ
３０  ベースキャップ
３５  ノズル
３７  内側筒状壁（押圧壁）
３８  貫通孔
４０  発泡部材
５０  逆止弁
Ｍ    充填空間
ｐ    吸引管
【図１】
2014046971.tif 000003
【図２】
2014046971.tif 000004
【図３】
2014046971.tif 000005